(57)【特許請求の範囲】
【請求項１】
上方のコイン投入口（5）から投入されたコインが、コイン通路（10）における前記コイン投入口と連絡するほぼ垂直な下降部（8Ａ）、該下降部に続く約１／４の円弧部（8Ｂ）および該円孤部に続く直線的な斜面部（8Ｃ）から形成されたガイドレール（8）を転動し、この転動経路の途中でコイン通路の片側の通路側壁に形成された真正コインの径より小さい高さの開口（26）により、真正コインより径少のコインは前記開口を傾倒して落とされ、真正コインはコイン通路のコイン出口（6）へと案内される転動式コインセレクタにおいて、
前記コイン通路の前記円弧部と対応して所定の間隔でその上方位置に配置され、転動するコインの上部周面を受け入れてガイドする誘導凹部（11Ａ）が外周部に形成してある回転自在なガイドローラ（11）と、
前記ガイドローラの誘導凹部に上部周面が嵌まりながら前記ガイドレール上を転動するコインを側面から押して前記開口側に移動するように付勢する付勢手段（47）と、
前記付勢手段により横に付勢されたコインの前記開口側の上部周縁が受けられてガイド可能とされる前記ガイドローラにおける誘導凹部の側方にある前記ガイドレールに向かって所定量突出している側方ガイド（11Ｄ）と、
前記付勢手段により横に付勢されつつ転動するコインの前記側方ガイド側と同じ側の下部周縁を受けてガイドするように前記ガイドレールＧに隣接した本体（1）側に設けられた垂立壁（8Ｄ）と、より構成された転動式コインセレクタ。
【請求項２】
前記コイン通路の内底面には、金属製のガイドレールが敷設されていることを特徴とする請求項１に記載の転動式コインセレクタ。
【発明の詳細な説明】
【０００１】
【発明が属する技術分野】
本発明は、投入されたコインを転がしながら真正コインと不正コインとに区分けする転動式コインセレクタに関する。
特に本発明は、「パチンコ型スロットマシン」、いわゆる「パチスロ」などのゲーム機に使用されている転動式コインセレクタに関する。
なお、本明細書で使用する「コイン」は、通貨であるコインの他、ゲーム機独自のメダルやトークンの総称である。
【０００２】
【従来の技術】
この種転動式コインセレクタは、例えば実開平６−２５９６３号（対応米国特許第５２９３９８１号）に開示されている。
これを図１５と図１６を用いて説明する。
図１５はコインセレクタの斜視図である。
図１６は図１５におけるＸ−Ｘ線での断面図である。
【０００３】
８４は軸線方向に長い平板状のフレームであり、両端部の取り付け片９９・９８によりゲーム機内に軸線方向、かつ、図１６から明らかなように軸線回りに傾斜して固定されている。
コインの入口８１に続いてフレーム８４の下縁部をＬ字状に屈曲してガイドレール８６を形成してある。
このガイドレール８６は、後述の選別窓８９を通過した近傍まで形成してある。
ガイドレール８６の上面がコインのガイド面８７になっている。
フレーム８４の中間には矩形の選別窓８９を穿孔してある。
【０００４】
この選別窓８９の上縁側には選別板１０１が位置調整可能にビス止めしてある。
９１はフレーム８４の上縁部の枢軸８８に回動可能に軸支され、かつ、図１５でフレーム８４の裏側に配置され、かつ、その下縁を前記選別窓８９に対応して配置したキャンセル板である。
８５はこのキャンセル板９１と一体動可能に枢軸８８に軸支され、かつ、フレーム８４の表側に配置したドア板である。
フレーム８４の上端部とドア板８５の上端部とにより、フレーム８４の上端部にはパチスロ機のコイン投入口に投入されたコインを受け入れる漏斗状の入口８１を形成している。
【０００５】
９５はフレーム８４の突起９４に上端部を枢動可能に支持したＬ字状のキャンセル板である。
９６はフレーム８４に固定したソレノイドであり、外部信号により選択的に励磁及び消磁される。
キャンセル板９５の先端部はこのソレノイド９５に吸着されたとき、前記レール８６の延長上に位置して出口８２までガイド面８７を延長する。
ソレノイド９６が消磁されたときはスプリング（図示せず）によりキャンセル板９５が回動されてレール８６の延長上から先端部が外れて落下孔９２を形成するようになっている。
【０００６】
選別板１０１の下縁９０とレール８６のガイド面８７とにより、真正コインの直径よりも僅かに広い間隔８３を規制している。
すなわち、入口８１からのコインＡがガイド面８７を転がって選別板１０１の部位に来ると、真正なコインであれば下縁９０すれすれを転がる。
このとき、コインＡの上縁部が下縁９０にガイドされて倒れが阻止されるから、選別窓８９部を通過できる。
しかし、不正小径コインであれば下縁９０によりガイドされないから、自重で倒れて選別窓８９中に倒れ込んでガイド面８７から落下してしまう。
もちろん、大径の不正コインは、ガイド面８７と下縁９０との間隔８３よりも径が大きいので入り込むことが出来ず、レール８６とドア板８５との間から落下する。
【０００７】
また、ソレノイド９６が励磁されているとキャンセル板９５は吸着されて先端部がレール８６の延長上に位置しているので、選別窓８９部を通過したコインはキャンセル板９５の上面を転がって出口８２に到達できる。
ところが、ソレノイド９６が消磁されるとキャンセル板９５は図示しないスプリングで回動されてレール８６の延長上から外れて落下孔９２を形成する。
これにより、コインＡはこの落下孔９２に落下して出口８２まで到達できない。
このキャンセル機能は、ゲーム機側が故障のときや準備状態のときにコインが投入されてもゲーム者に返却するためのものである。
【０００８】
近年、ゲームのスピーディさが望まれるようになってきた。
前記従来装置は、フレーム８４が水平面から約２０度レール８４側を支点として仰角を保ち、かつ、入口８１側から出口８２側へ約２０度の角度を有しているので、コインは通路を構成する部材との接触面積が多いため滑り抵抗が大きく、コインの転動速度を上げるには限界がある。
そこで、コインの転がり速度を高めるためフレーム８４の軸線回りの傾斜を無くすと共に、レール８６の傾きを大きくし、コインがほぼ垂立状態で転がるようにすることが考えられた。
コインがほぼ垂立状態であれば、コインガイド部材との摩擦接触面積が少なくなると共に、重力を活用して加速できるのでコイン速度は大幅にアップする。
しかし、コインをほぼ垂立状態に保ったままコイン外径をチェックして不正コインを選別する装置は未だ提案されていない。
【０００９】
【発明が解決しようとする課題】
本発明の第１の目的は、コインをほぼ垂立状態に保ったままコイン外径をチェックして不正コインを選別できるようにすることである。
本発明の第２の目的は、使用するコインの径が変更されてもその外径のチェックの適応が容易にできるようにすることである。
【００１０】
【課題を解決するための手段】
この目的を達成するため本発明にかかるコインセレクタは、上方のコイン投入口から投入されたコインが、コイン通路における前記コイン投入口と連絡するほぼ垂直な下降部、該下降部に続く約１／４の円弧部および該円孤部に続く直線的な斜面部から形成されたガイドレールを転動し、この転動経路の途中でコイン通路の片側の通路側壁に形成された真正コインの径より小さい高さの開口により、真正コインより径少のコインは前記開口を傾倒して落とされ、真正コインはコイン通路のコイン出口へと案内される転動式コインセレクタにおいて、前記コイン通路の前記円弧部と対応して所定の間隔でその上方位置に配置され、転動するコインの上部周面を受け入れてガイドする誘導凹部が外周部に形成してある回転自在なガイドローラと、前記ガイドローラの誘導凹部に上部周面が嵌まりながら前記ガイドレール上を転動するコインを側面から押して前記開口側に移動するように付勢する付勢手段と、前記付勢手段により横に付勢されたコインの前記開口側の上部周縁が受けられてガイド可能とされる前記ガイドローラにおける誘導凹部の側方にある前記ガイドレールに向かって所定量突出している側方ガイドと、前記付勢手段により横に付勢されつつ転動するコインの前記側方ガイド側と同じ側の下部周縁を受けてガイドするように前記ガイドレールに隣接した本体側に設けられた垂立壁とより構成したものである。
また、前記コイン通路の内底面には、金属製のガイドレールが敷設されていることを特徴とするものである。
【００１１】
また、コイン通路はほぼ垂直な下降部と、下降部に続く弧状部と、弧状部に続く斜面部とよりなるものである
さらに、側方ガイドのガイドレールは、弧状凸部からコインの許容直径誤差分突出しているものである。
さらにまた、側方ガイドレール側にコインを付勢する付勢手段を有するものである。
さらに、弧状凸部は、ローラ周面の一部であるものである。
【００１２】
【発明の実施の形態】
【実施例】
図１は実施例の斜視図
図２は実施例の正面図
図３は図２のＡ−Ａ線断面図
図４は実施例の背面図
図５は図４のＢ−Ｂ線断面図
図６は実施例のカバーを外した状態の斜視図
図７は実施例のカバーを外した状態の正面図
図８は図７のＣ−Ｃ線断面図
図９は実施例のカバーを外した状態の運転状態の正面図
図１０は図９のＤ−Ｄ線断面図
図１１は第１ゲート手段がキャンセル位置にある状態でのＤ−Ｄ線断面図
図１２は第１と第２ゲート手段がキャンセル位置にある状態でのＤ−Ｄ断面図
図１３は図４からブラケット類を削除した背面図
図１４はガイドレールと弧状凸部を拡大した説明図
図１５従来例の斜視図
図１６は図１５のＸ−Ｘ線の断面図
【００１３】
１は本体であって、樹脂等により成形されている。
２は樹脂等により成形したカバーであり、本体１に突設した軸受３に軸４により回動自在に枢着されている。
また、カバー２は軸４に巻き付けたコイルバネ７により本体１側に付勢されている。
５はコインの投入孔、６はコイン出口である。
【００１４】
次に本体１の構造を、主に図６及び７を参照して説明する。
本体１には幅がコインとほぼ同一のレール８が側方に突出形成してある。
レール８は、ほぼ垂直の下降部８Ａ、それに続いてほぼ４分の１の円弧部８Ｂ、円弧部８Ｂに続く直線的な斜面部８Ｃよりなっている。
レール８表面には、ステンレス板９が摩耗防止のため貼付してある。
したがって、ステンレス板９の表面がコインのガイドレールＧである。
このガイドレールＧに隣接した本体１側に垂立壁８Ｄを設けてある。
ガイドレールＧに沿ってガイドレールを含む平面がコイン通路１０を形成する。
【００１５】
１１はガイドローラであって、本体１に突設した軸１２に前記円弧面８Ｂと同心に回転自在に支持してある。
ガイドローラ１１は図３、図８、図１４から明らかなように、コインの周面と一方の側面をガイドする断面鈎状の誘導凹部１１Ａを有している。
すなわち、ローラ１１の小径部１１Ｂの周面である弧状凸部１１Ｃと、その側方にある大径部１１Ｅの側壁であって前記凸部１１Ｃと同一方向に突出する側方ガイド１１Ｄとで形成してある。
【００１６】
この誘導凹部１１Ａは、前記ガイドレールＧと同一平面内、すなわち、コイン通路１０にある。
ガイドローラ１１の凸部１１ＣとガイドレールＧとの距離は真正なコインの直径よりも僅かに大きく設定してある。
側方ガイド１１Ｄの突出量、すなわち、凸部１１Ｃから大径部１１Ｅ周面までの高さＨは、真正コインの直径誤差及びガイドレールＧとガイドローラ１１の製造並びに組み付け誤差を考慮してもガイドレールＧに密着して転がる真正コインの端部が側方ガイド１１Ｄに案内されるように設定してある。
すなわち、コインの直径が真正コインよりも小さければ側方ガイド１１Ｄによって案内されない。
【００１７】
１３は直状の規制面１３Ａを有すると共にコインよりも厚みが僅かに厚い規制板であり、ビス１４で本体１に固定されている。
ガイドレールＧと規制面１３Ａは真正コインの径よりも僅かに大きい間隔を有しており、真正コインの径の判別とガイド機能を有している。
ガイドレールＧの斜面部８Ｃには、凹字状の非接触型センサ１５Ａ、１５Ｂ、１５Ｃを配置してある。
これらセンサ１５Ａ、１５Ｂ、１５Ｃはコインを検出すると信号を出力する。
ガイドレールＧは、センサ１５Ｂの凹部に位置している。
センサ１５Ａと１５Ｃは、それらの凹部にコイン通路１０が内在するように配置してある。
センサ１５Ａは、本体１に固定したブラケット１６Ａに固定されている。
センサ１５Ｂ、１５Ｃも同様にブラケット１６Ｂ、１６Ｃに固定されている。
【００１８】
１７はコイン通路１０を挟んで本体１内の反対側に配置した転向防止板である。
転向防止板１７は、ブラケット１６Ａに固定され、センサ１５Ａと１５Ｃの間からセンサ１５Ａの間を塞いでいる。
２１は第１ゲート手段であり、樹脂により成形されている。
第１ゲート手段２１は、本体１の背面に突設した軸受２２に支持された軸２３に回動自在に支持されている。
第１ゲート手段２１の先端部は、図１１において明らかなように、コイン通路１０、すなわち、便宜的にはガイドレールＧの上方を直角に横断するようにした棒状の突部２１Ａ、その突部に続いてコイン通路１０の上流側に面して凸になる弧状面２１Ｂを形成してある。
突部２１Ａおよび弧状面２１Ｂのコイン通路１０への突出位置は、円弧部８Ｂの直下流、かつセンサ１５Ａ、１５Ｂの上流である。
【００１９】
２４は、本体１に形成した第１ゲート手段２１突出用の孔である。
２５は第２ゲート手段であり、樹脂により成形されている。
図１３から明らかなように、第２ゲート手段２５は本体１の背面に突出している軸受２７に固定された軸２８に一端部が回動自在に枢軸されている。
【００２０】
第２ゲート手段２５は、付勢手段、例えば軸２８回りに装着したスプリング３５により常時コイン通路１０側に、付勢されている。
そして、通常はこの付勢力により図１２のようにカム面２５Ａがコイン通路１０に位置した状態で図示しないストッパに係止されて静止している。
第２ゲート手段２５は、円弧部８Ｂに配置してある。
すなわち、突部２１Ａあるいは弧状面２１Ｂに係止されたコインに、次のコインが衝突するのを回避するために第１ゲート手段２１とコインの直径よりも僅かに離して配置してある。
第２ゲート手段２５は、正面から見て円弧状部８Ｂに沿って弧状になっていると共に、コイン通路１０の上流側から下流側向かって暫時コイン通路１０に突出（図１０参照）するようにカム面２５Ａが形成してある。
第２ゲート手段２５は、本体１の開口２６に配置してある。
【００２１】
５７は本体１の背面に固定したソレノイドである。
図１２から明らかなように、ソレノイド５７のアーマチャ５８の先端にはリンク２９の一端がアーマチャ５８を貫通するピン３１により枢着してある。
このリンク２９の他端は、第１ゲート手段２１の中間部にピン３２により枢着してある。
ピン３１とソレノイド５７との間にはコイルスプリング３３が介装してあり、常時アーマチャ５８が突出する方向に付勢している。
これにより、ソレノイド５７がＯＦＦのとき、コイルスプリング３３の弾発力によりアーマチャ５８は突出され、第１ゲート手段２１を図１２で最も反時計回り方向に回動させて弧状面２１Ｂがコイン通路１０に突出した状態、すなわちキャンセル位置で図示しないストッパに当接して静止している。
【００２２】
ゲーム機が作動状態のときは、ソレノイド５７が励磁されてアーマチャ５８が吸引されるので、ピン３１、リンク２９、ピン３２を介して第１ゲート手段２１が図１０のように右方に引かれる。
これにより、第１ゲート手段２１は軸２３を中心として時計回り方向に回動される。
その旋回途上において、弧状部２１Ｂがコイン通路１０から退避したところで第１ゲート手段２１の突起２１Ｄが第２ゲート手段２５の突起２５Ｄに係合し、第２ゲート手段２５を友連れで回動させて突起２１Ａおよび第２ゲート手段２５をコイン通路１０から撤退させて、それぞれ退避位置に保持する。
この突起２１Ａが突起２５Ｄに当接して友連れを開始するのは、アーマチャ５８がソレノイド５７にほぼ引き込まれた位置である。
したがってソレノイド５７の吸引力が大きい状態なので、第２ゲート手段２５のスプリング３５の付勢力が加わってもそれに抗して吸引することができる。
【００２３】
３７は軸１２の本体１の背面側の突出端に枢着した手動キャンセル受けレバーである。
図４から明らかなように、３８は手動キャンセルレバーであり、前記開口２６に位置しており、第２ゲート手段２５から第１ゲート手段２１に跨って相対するよう円弧の１／４程度の大きさになっている。
この手動キャンセルレバー３８は腕３９に固定されており、背面にカムを突設してある。
キャンセル受けレバー３７の反対側に突出する腕３７Ａには前記カムに相対してカムが形成してある。
【００２４】
キャンセル受けレバー３７はゲーム機のキャンセル釦により押し下げられると、軸１２の回りを図４で反時計回り方向に回動する。
この回動により、前記２つのカムにより手動キャンセルレバー３８は図４で紙面に対し鉛直方向に押し下げられ、その先端部がコイン通路１０に進入することによりコイン通路１０に位置しているコインを強制的にガイドレールＧ上から押し出して落下させる。
キャンセル受けレバー３７は、ゲーム機のキャンセル釦の押し下げが解除されるとスプリング部４０の弾性により復帰する。
この復帰に伴って手動キャンセルレバー３８は腕３９の弾発力により、コイン通路１０から外れた退避位置に復帰する。
【００２５】
カバー２は、入口５に相対する部位が上端側から下降するにつれて通路の厚みが薄くなるよう傾斜したガイド部２Ａになっている。
そのガイド部２Ａに続いて厚みがコインよりも僅かに広いコイン通路１０を画定する部位２Ｂ、及びキャンセルしたコイン、すなわち、ガイドレールＧから外れて落下するコインのガイド部２Ｃが形成してある。
図１および図２から明らかなように、カバー２に突出した軸受４５Ａ、４５Ｂには、軸４６が支持されている。
【００２６】
この軸４６には、ガイド片４７の上端部が回動自在に枢着され、下端部は垂下されている。
ガイド片４７は、コイン通路１０に沿うように下端部が湾曲している。
また、ナット４８でカバー２にロックされたビス４９とガイド片４７との間には弾発力が弱いスプリング（図示せず）を介装し、ガイド片４７がコイン通路１０に突出するよう付勢している。
この突出量は、僅かにコインに接触する程度の量になるよう図示しないストッパで規制している。
【００２７】
また、軸４６には補助ストッパ５１が回動自在に垂下されている。
補助ストッパ５１の下端部は第１ゲート手段２１の突部２１Ａ側にＬ字状に屈曲している。
その屈曲端５１Ａは、第１ゲート手段２１の突部２１Ａがコイン通路１０を横切った後にその先端に当接する。
【００２８】
真正コインは、入口５に投入されると本体およびカバー２のガイド部２Ａおよび規制面１３Ａ、凸部１１Ｃおよび下降部８ＡのガイドレールＧで案内されて垂直に落下する。
その後、下降部８ＡのガイドレールＧおよび垂立壁８Ｄ、ならびに、ガイドローラ１１の側方ガイド１１Ｄおよび凸部１１Ｃ、ならびに、ガイド片４７とで斜面部８Ｃへ案内する。
【００２９】
このとき、カバー２側はガイド面がないため、コインの振れを抑止することが出来ない。
そこで、ガイド片４７をあてがってコイン自身の振動による無用な落下を防止する。
斜面部８Ｃに入ると、コインはセンサ１５Ａ、１５Ｂ、１５Ｃを順次通過する。
センサ部を通過したコインは、ガイドレールＧと本体１とに案内されて出口６からゲーム機のコイン集積部に集められる。
【００３０】
次に本実施例の作用を説明する。
ゲーム機が不使用状態のときは、ソレノイド５７が消磁されている。
このため、アーマチャ５８はスプリング３３のスプリング力により突出されている。
これにより、ピン３１、リンク２９、ピン３２を介して第１ゲート手段２１は図１２のように最も反時計回り方向に回動されたキャンセル位置になり、図示しないストッパに当接して静止している。
【００３１】
この状態において第１ゲート手段２１の突部２１Ａはコイン通路１０を通過して外れた位置にあり、弧状部２１Ｂがコイン通路１０に位置している。
第２ゲート手段２５はスプリング３５のスプリング力によりコイン通路１０側に突出するよう付勢され、カム面２５Ａがコイン通路１０に位置しているキャンセル位置にある。
この図１２の状態でコインが入口５から投入された場合、下降部８Ａのコイン通路１０を降下するコインは、第２ゲート手段２５のカム面２５Ａに衝突し、そのカム面２５Ａに沿って反本体１側へ横方向にスライドされるのでガイドレールＧから外れ、本体１とガイド部２Ｃ間の通路を落下して図示しないゲーム機の返却口に戻される。
【００３２】
次にゲーム機が使用状態のときは、ソレノイド５７が励磁される。
このため、アーマチャ５８はスプリング３１のスプリング力に抗してソレノイド５７内に引き込まれる。
これにより、ピン３１、リンク２９、ピン３２を介して第１ゲート手段２１は図１２の状態から時計回り方向に回動されて弧状部２１Ｂがコイン通路１０を外れたところで突起２１Ｄが突起２５Ｄに当接する。
これ以降第１ゲート手段２１は突起２１Ｄで突起２５Ｄを押動して第２ゲート手段２５を友連れし、第１ゲート手段２１の突起２１Ａと第２ゲート手段２５のカム面２５Ａがコイン通路１０から外れたところで図示しないストッパに当接して図１０の退避位置で静止する。
【００３３】
この状態においてコインＣがゲーム機の入口に投入されると、コインＣは入口５を通過してガイドレールＧ及び凸部１１Ｃにより周面を案内され、かつ、ガイド片４７を弱いスプリング力によりコインＣの一側面に押しつけて垂立壁８Ｄ及び側方ガイド面１１Ｄに押しつけることにより、両側面をそれらにガイドされつつ転がる。
コインＣは、下降部８Ａにおいて重力により加速されて後、円弧部８Ｂにてそのスピードを損なわないよう滑らかに方向転換されて後、斜面部８Ｃを転がって出口６に到達する。
【００３４】
このように、ほぼ垂直落下する下降部８Ａを設けることにより、短距離でコインＣの転がりスピードを上げられるという効果がある。
また、下降部８Ａおよび円弧部８Ｂではガイド片４７によっても側方から極めて弱いスプリング力で押してコインＣの振れで真正コインまでガイドレール８から外れないように案内している。
【００３５】
前記円弧部８ＢではコインＣに遠心力が働くため、コインＣはガイドレールＧに圧接、すなわち、密着しつつ転がり、ガイドローラ１１の周りをほぼ１／４周する。
円弧部８ＢではコインＣがガイドレールＧに密着しているため、真正コインは一部がガイドローラ１１の誘導凹部１１Ａにおいて側方ガイド１１Ｄにガイドされつつ進行する。
コインＣがガイドレールＧでジャンプした場合は、凸部１１Ｃにガイドされつつ進行する。
斜面部８Ｃを転がるコインＣは、センサ１５Ａ、１５Ｂ、１５Ｃの順に通過する。
図示しない制御部では、これらセンサからの信号により真正コインと判別すれば何も作動させない。
【００３６】
しかし、不正コインと判別すれば、ソレノイド５７を消磁して第１ゲート手段２１及び第２ゲート手段２５をコイン通路１０に突出させ、以降投入されるコインＣをガイドレールＧから外すことによりキャンセルする。
キャンセルされたコインＣは、ガイド部２Ｃを通って落下する。
【００３７】
不正コインを使用した場合、例えばコインＣの直径が小さい場合は、そのコインＣのガイドローラ１１の側方ガイド１１Ｄに達しないので、ガイド片４７の押圧力によって開口２６側へ倒れてガイドレールＧから外れ、本体１とカバー２のガイド部２Ｃ間に落下する。
【００３８】
コインＣの幅が広い場合は、入口５で支えてしまう。
コインＣの直径が大きい場合は、ガイドレールＧと凸部１１Ｃの間に支えてしまう。
この時は、手動解除レバー３８でカバー２側へ押し込んでガイドレールＧから外すことにより本体１とカバー２のガイド部２Ｃ間に落下させる。
【００３９】
転向防止板１７は、コインＣにワイヤを固着してセンサ１５Ａ、１５Ｂ、１５Ｃ部を通過させて後、ワイヤを用いてコインＣを横向きに転向させてセンサ１５Ａ及び１５Ｃと１５Ｂとの間の隙間を引き戻して使うなどの不正使用防止のためのものである。
この転向防止板１７があれば、コインＣを転向して引き戻そうとしてもコインＣが転向防止板１７に引っかかって引き戻すことが出来ない。
本発明は図示の実施例に限らず、コイン通路に垂直な下降部を設けず全て斜面にて構成してもよい。
側方ガイド１１Ｄは実施例のように面状でなく、大径部１１Ｅの周面部に位置するリング状であってもよい。
コインＣを側方ガイド１１Ｄ側に付勢する手段は、スプリングで付勢されたガイド片４７の他、図６において本体１を時計回り方向に僅かに傾けてコインＣの自重によって側方ガイド１１Ｄと垂立壁８Ｄに密着するようにしても良い。
また、ガイド片４７を設けなくてとも、コイン自身の振れにより小径のコインはガイドレールＧから外れて落下する。
しかし、ガイド片４７で横方向に付勢することにより更に確実に選別できる。径の異なるコインを用いる場合は、小径部１１Ｂがコインの径に適応するガイドローラ１１に交換するだけでよい。
【００４０】
本発明は、弧状凸部と、その弧状凸部の少なくとも一方の側方にあって前記弧状凸部側からその突出方向に向かって所定量突出する側方ガイドと、前記弧状凸部と所定の間隔で配置されたコイン転動ガイドレールとによりコイン通路を構成したので、径の不正なコインを迅速かつ正確に選別することができる。
【００４１】
コイン通路はほぼ垂直な下降部と、下降部に続く弧状部と、弧状部に続く斜面部とより構成したので、まず下降部で重力を利用して加速し、その速度を損なわないよう弧状部で滑らかに方向転換して後斜面で更に転がすようにしたので、コインの加速に重力を最大限に活用できるから、下降部を短距離にでき、装置をコンパクトに構成できる。
また、弧状部においてコインには遠心力が加わるから、ガイドレールにコインが自ら密着するので跳ね上がりを抑制でき、ガイドローラとの共同でコイン径を正確にチェックできる。
【００４２】
側方ガイドは、弧状凸部からコインの許容直径誤差分突出しているので、小径の不正コインを正確に選別できる。
【００４３】
側方ガイド側にコインを付勢する付勢手段を用いると、不正なサイズの場合積極的にコインをガイドレールから外すので、迅速に不正コインを排除することができる。
【００４４】
弧状凸部は、ローラ周面の一部であるので小径部と大径部との異なるガイドローラに交換するだけでよいという利点がある。
【００４５】
【図面の簡単な説明】
【図１】図１は実施例の斜視図
【図２】図２は実施例の正面図
【図３】図３は図２のＡ−Ａ線断面図
【図４】図４は実施例の背面図
【図５】図５は図４のＢ−Ｂ線断面図
【図６】図６は実施例のカバーを外した状態の斜視図
【図７】図７は実施例のカバーを外した状態の正面図
【図８】図８は図７のＣ−Ｃ線断面図
【図９】図９は実施例のカバーを外した状態の運転状態の正面図
【図１０】図１０は図９のＤ−Ｄ線断面図
【図１１】図１１は第１ゲート手段が退避した状態でのＤ−Ｄ線断面図
【図１２】図１２は第１と第２ゲート手段がキャンセル位置にある状態でのＤ−Ｄ断面図
【図１３】図１３は実施例の手動キャンセルレバと腕とを外した状態の背面図
【図１４】図１４はガイドレールと弧状凸部を拡大した説明図
【図１５】図１５は従来例の斜視図
【図１６】図１６は図１５のＸ−Ｘ線の断面図
【符号の説明】
５      入口
６      出口
８Ａ    下降部
８Ｂ    弧状部
８Ｃ    斜面部
９      コイン転動ガイドレール
１０    コイン通路
１１    ガイドローラ
１１Ｃ  弧状凸部
１１Ｄ  側方ガイド
【図１】
0004143710.tif 000002
【図２】
0004143710.tif 000003
【図３】
0004143710.tif 000004
【図４】
0004143710.tif 000005
【図５】
0004143710.tif 000006
【図６】
0004143710.tif 000007
【図７】
0004143710.tif 000008
【図８】
0004143710.tif 000009
【図９】
0004143710.tif 000010
【図１０】
0004143710.tif 000011
【図１１】
0004143710.tif 000012
【図１２】
0004143710.tif 000013
【図１３】
0004143710.tif 000014
【図１４】
0004143710.tif 000015
【図１５】
0004143710.tif 000016
【図１６】
0004143710.tif 000017